(57)【要約】【課題】使用者自身が容易かつ希望通りに肩部の輪郭を整容することができ、さらに、使用者が激しく動いても適切な位置からずれるおそれのない肩パッドを提供する。【解決手段】肩パッド１０を、使用者Ａの肩の一部を覆う凹湾曲面３２と、凹湾曲面３２に対向し、肩の輪郭を整容する輪郭整容凸面３０とを有するパッド本体１２、および凹湾曲面３２に設けられ、使用者Ａの肩に直接貼り付けられる粘着層１４とで構成することにより、上記課題を解決することができる。【選択図】図１
0003144293.tif 000002
【実用新案登録請求の範囲】
【請求項１】
使用者の肩の一部を覆う凹湾曲面と、前記凹湾曲面に対向し、肩の輪郭を整容する輪郭整容凸面とを有するパッド本体、および
前記凹湾曲面に設けられ、使用者の肩に直接貼り付けられる粘着層を備えていることを特徴とする肩パッド。
【請求項２】
前記パッド本体は、保形材と、前記保形材の外面を覆う外面材と、前記保形材の内面を覆う内面材とを有しており、
前記内面材および前記外面材は、ともに通気性を有する生地で形成されており、
前記保形材には、前記保形材の外面側と内面側とを互いに連通する複数の連通孔が設けられていることを特徴とする請求項１に記載の肩パッド。
【請求項３】
前記保形材は、ウレタンを連続発泡させることにより、その厚肉の中央部で発泡ウレタンの密度が小さく、かつ、その薄肉の周縁部で前記発泡ウレタンの密度が大きく形成されていることを特徴とする請求項２に記載の肩パッド。
【請求項４】
前記パッド本体の周縁は、テープで包まれてパイピング加工されていることを特徴とする請求項１ないし３のいずれかに記載の肩パッド。
【考案の詳細な説明】
【技術分野】
【０００１】
本考案は、使用者の肩に直接貼り付けて使用する肩パッドに関する。
【背景技術】
【０００２】
スーツやシャツなどの衣類における肩部の内面に縫着などの手段で取り付けられ、該衣類を着用したときに肩部の輪郭を整容する肩パッドが一般的に使用されている（例えば、特開２００７−２９１５４２）。
【０００３】
一方、夏場に着用する機会の多いＴシャツや薄手のブラウスなど、肌の上に直接着用する衣類は使用者の肩部の輪郭が現れやすいので、肩部の輪郭を整容したいという希望が特に多いにもかかわらず、このように肌の上に直接着用する衣類には肩パッドが取り付けられていないことが多かった。
【０００４】
このため、肩部の輪郭の整容をあきらめるか、あるいは、使用者自身が衣類の肩部の内面に肩パッドを取り付ける必要があった。
【考案の開示】
【考案が解決しようとする課題】
【０００５】
しかし、使用者自身が衣類の適切な位置に肩パッドを取り付け、希望通りに肩部の輪郭を整容することは困難であり、また、仮に肩パッドの取り付けがうまくできたとしても、スーツなど比較的重量のある衣類であれば、衣類の重量が肩パッドを使用者の肩部に押しつける力として作用するので、該肩パッドがその適切な位置からずれにくいが、薄手の衣類では当該押しつける力が小さいことから、使用者が軽く動くだけで肩パッドが適切な位置からずれてしまうおそれがあった。
【０００６】
本考案は、このような従来の問題に鑑みて開発されたものである。それゆえに本考案の主たる課題は、使用者自身が容易かつ希望通りに肩部の輪郭を整容することができ、さらに、使用者が激しく動いても適切な位置からずれるおそれのない肩パッドを提供することにある。
【課題を解決するための手段】
【０００７】
請求項１に記載した考案は、「使用者Ａの肩の一部を覆う凹湾曲面３２と、前記凹湾曲面３２に対向し、肩の輪郭を整容する輪郭整容凸面３０とを有するパッド本体１２、および
前記凹湾曲面３２に設けられ、使用者Ａの肩に直接貼り付けられる粘着層１４を備えていることを特徴とする肩パッド１０」である。
【０００８】
このように、肩パッド１０の凹湾曲面３２に粘着層１４が設けられており、該粘着層１４によって肩パッド１０を使用者Ａの肩に直接貼り付けることができるので、使用者Ａは、衣類の内面に肩パッドを取り付ける場合とは異なり、自身の肩部の輪郭を確認しながら肩パッド１０を適切な位置に貼り付けることが容易にできる。
【０００９】
請求項２に記載した考案は、請求項１に記載の肩パッド１０に関し、「前記パッド本体１２は、保形材２０と、前記保形材２０の外面を覆う外面材２２と、前記保形材２０の内面を覆う内面材２４とを有しており、
前記内面材２４および前記外面材２２は、ともに通気性を有する生地で形成されており、
前記保形材２０には、前記保形材２０の外面側と内面側とを互いに連通する複数の連通孔４０が設けられている」ことを特徴とする。
【００１０】
このように、保形材２０には、複数の連通孔４０が設けられているので、肩パッド１０が貼り付けられている使用者Ａの肩部で生じた汗は、内面材２４を通って保形材２０の連通孔４０に導入され、連通孔４０を通過した後、外面材２２を通って外部へ放出される。このため、使用者Ａの肩部が汗で蒸れたりしにくく、快適な使用感を得ることができる。
【００１１】
請求項３に記載した考案は、請求項２に記載の肩パッド１０に関し、「前記保形材２０は、ウレタンを連続発泡させることにより、その厚肉の中央部で発泡ウレタンの密度が小さく、かつ、その薄肉の周縁部で前記発泡ウレタンの密度が大きく形成されている」ことを特徴とする。
【００１２】
このように、保形材２０を形成することにより、その中央部では密度が小さいことから通気性が高く、その周縁部では密度が大きいことから型崩れしにくい保形材２０を形成することができる。
【００１３】
請求項４に記載した考案は、請求項１ないし３のいずれかに記載の肩パッド１０に関し、「前記パッド本体１２の周縁は、テープ５０で包まれてパイピング加工されている」ことを特徴とするもので、このように、パッド本体１２の周縁をテープ５０で包んでパイピング加工することにより、パッド本体１２が外周縁から解れてくるのを防止できる。加えて、肩パッド１０を使用者Ａの肩に貼り付けたとき、パッド本体１２の周縁端が使用者Ａの肌に「線」で触れると、使用者Ａの肌を不所望に刺激して違和感を生じさせることがあるが、この肩パッド１０では、テープ５０が使用者Ａの肌に「面」で触れることから、その使用に際して使用者Ａの違和感が少ない肩パッド１０を提供することができる。
【考案の効果】
【００１４】
本考案に係る肩パッドによれば、使用者が自身の肩部の輪郭を確認しながら肩パッドを適切な位置に貼り付けて、使用者自身が容易かつ希望通りに肩部の輪郭を整容することができ、さらに、肩パッドは衣類の内側ではなく、使用者の肩部に直接貼り付けられているので、衣類と肩パッドとは互いに自由に動くことができ、使用者が激しく動いてもずれるおそれのない肩パッドを提供することができる。
【考案を実施するための最良の形態】
【００１５】
以下、本考案を図示実施例に従い、まず、本考案の基本形である第１実施例の肩パッドについて説明し、続いて、通気性を向上させた第２実施例の肩パッドについて説明する。その後、パッド本体の周縁をパイピング加工した第３実施例の肩パッドについて説明する。なお、第２実施例および第３実施例の説明における第１実施例との共通部分については、第１実施例の説明を援用してその説明を省略し、相違部分のみについて説明する。
【００１６】
（第１実施例）
本考案を適用した肩パッド１０は、使用者Ａの肩に直接貼り付けて使用するものであり、図１および図２に示すように、大略、パッド本体１２と粘着層１４とで構成されている。
【００１７】
パッド本体１２は、保形材２０と、外面材２２と、内面材２４とで構成されている。保形材２０は、発泡ウレタン製であり、図示しない金型によって略小判形に形成されており、使用者Ａの肩に違和感なく被せることができるようにその断面形状が湾曲され、かつ、中央部から周縁端にかけてその厚さが薄くなるように形成されている。以下、この湾曲した内側の面を保形材２０の内面、外側の面を保形材２０の外面という。なお、保形材２０の材質は、使用者Ａの肩部の輪郭を整容するように一定の形状を維持でき、使用者Ａにとって違和感が少なくなるように適度な柔軟性を有するものであれば、発泡ウレタンに限られず、例えば、ゴム、織物、成型された不織布やプラスティックを用いることができる。さらに、熱可塑性フィルムによって、シリコンなどのゲル状体、ゾル状体、液体、気体を被覆したものを保形材２０として用いてもよい。
【００１８】
外面材２２は、保形材２０の外面を覆う伸縮性および通気性に優れたポリウレタン製の織布であり、保形材２０の外面に熱圧着されている。内面材２４は、外面材２２と同様に、伸縮性および通気性に優れたポリウレタン製の織布が使用されており、保形材２０の内面を覆うように熱圧着されている。これら外面材２２および内面材２４の材質はポリウレタンに限られるものではなく綿や絹など他の材質を用いることができ、さらに、織布に代えて不織布を用いることもできる。
【００１９】
また、外面材２２および内面材２４とは、接着材を用いて保形材２０の外面あるいは内面に接着してもよい。さらに、外面材２２および内面材２４の周縁部を、「接着」ではなく、保形材２０の周縁部に縫い付けてもよい。なお、外面材２２や内面材２４を単なる布地ではなく、保形材２０のように発泡ウレタン等で任意の形状を保つように形成してもよい。これにより、外面材２２や内面材２４に保形機能を持たせることができる。
【００２０】
このように、本実施例では、保形材２０の外面に熱圧着された外面材２２によって使用者Ａの肩の輪郭を整容する輪郭整容凸面３０が構成され、保形材２０の内面に熱圧着された内面材２４によって使用者Ａの肩の一部を覆う凹湾曲面３２が形成されることになる。
【００２１】
また、本実施例では、輪郭整容凸面３０の頂部Ｚがパッド本体１２の長手方向中央線Ｌよりもややずれた位置に形成されており、頂部Ｚからの距離が近いパッド本体１２の端縁が使用者Ａの腕側にくるように、逆に頂部Ｚからの距離が遠いパッド本体１２の端縁が使用者Ａの肩側にくるようにして貼り付けられる。つまり、図２において、パッド本体１２の頂部Ｚから腕側の端縁までの距離Ｘと肩側の端縁までの距離Ｙとの関係は、Ｘ＜Ｙとなっている。
【００２２】
さらに、パッド本体１２は、上述したような３層構造に限られることはなく、保形材２０と外面材２２との間に外面生地層（図示せず）を設けるとともに、保形材２０と内面材２４との間に内面生地層（図示せず）を設けて５層構造にしてもよい。もちろん、これとは逆に、外面材２２および内面材２４を省略し、保形材２０のみでパッド本体１２を構成してもよい（この場合は、１層構造となる）。
【００２３】
粘着層１４は、肩パッド１０を直接使用者Ａの肩部に貼り付けるため、パッド本体１２の凹湾曲面３２（すなわち、内面材２４の外面）に設けられており、感圧接着剤（ＰＳＡ）が使用されている。感圧接着剤は、シリコンを原料とし、シリコンの優れた耐熱性、耐水性、および電気絶縁性を有する接着剤であり、特に再粘着性に優れる（使用者Ａの肩への貼着を何度繰り返しても貼着力の劣化がほとんどない）という利点を有している。粘着層１４の材質は、使用者Ａが肩パッド１０を使用中に激しく動いても肩パッド１０がずれないという貼着力を有し、汗や水などによっても貼着力の劣化がないこと、さらに粘着層１４の表面に埃や砂などが貼り付いて貼着力が劣化しても、石けん水などで粘着層１４の表面を洗浄することにより貼着力が回復するといった性質を有するものが好適であり、このような性質を有するものであれば、感圧接着剤に限られるものではない。
【００２４】
本考案に係る肩パッド１０を使用する際は、図２に示すように、使用者Ａが自身の肩部の輪郭を確認しながら肩パッド１０を適切な位置に貼り付け、その後、Ｔシャツや薄手のブラウスなどの衣類を着用する（もちろん、厚手の衣類の着用を妨げるものではない）。これにより、使用者Ａ自身が容易かつ希望通りに肩部の輪郭を整容することができ、さらに、肩パッド１０は使用者Ａの肩部に直接貼り付けられているので、使用者Ａが激しく動いてもずれるおそれがない。
【００２５】
（第２実施例）
第２実施例に係る肩パッド１０も、第１実施例と同様、図３に示すように、パッド本体１２と粘着層１４とで構成されており、パッド本体１２は、保形材２０と、必要に応じて外面材２２および内面材２４とを有している。
【００２６】
本実施例の保形材２０には、保形材２０の外面側と内面側とを互いに連通する複数の連通孔４０が設けられている。この連通孔４０は、図示しない金型により、保形材２０を成型するのと同時に形成されているが、連通孔４０の形成方法はこれに限られるものではなく、ウレタンを連続発泡させることにより形成してもよいし、保形材２０を成型した後に孔明け加工を施してもよい。特に、ウレタンを連続発泡させると、発泡倍率の違いにより、保形材２０の肉厚の厚い中央部では発泡ウレタンの密度が小さく、肉厚の薄い周縁部では発泡ウレタンの密度が大きくなり、その中央部では密度が小さいことから通気性が高く、その周縁部では密度が大きいことから型崩れしにくい保形材２０を形成することができる。
【００２７】
肩パッド１０が貼り付けられている使用者Ａの肩部からの汗は、内面材２４を通って保形材２０の連通孔４０に導入され、連通孔４０を通過した後、外面材２２を通って外部へ放出される。このため、使用者Ａの肩部が汗で蒸れたりしにくく、快適な使用感を得ることができる。加えて、洗濯して肩パッド１０内に水分が染み込んでも、肩パッド１０を容易に乾かすことができる。
【００２８】
（第３実施例）
第３実施例に係る肩パッド１０も、第１実施例と同様、図４に示すように、パッド本体１２と粘着層１４とで構成されており、パッド本体１２は、保形材２０と、外面材２２と、内面材２４とを有している。
【００２９】
本実施例では、パッド本体１２および粘着層１４（パッド本体１２だけでもよい）の周縁が帯状にテープ５０で包まれ、テープ５０の幅方向両端部をパッド本体１２および粘着層１４（パッド本体１２だけでもよい）とともに縫合してパイピング加工されている。テープ５０の材質は、外面材２２や内面材２４と同じく伸縮性および通気性に優れたポリウレタン製の布が使用されている（もちろん、ポリウレタン製に限られるものではない）。
【００３０】
これにより、パッド本体１２を構成する外面材２２や内面材２４がその周縁から解れてくるのを防止できるとともに、肩パッド１０を使用者Ａの肩に貼り付けたときにパッド本体１２の周縁端が使用者Ａの肌を刺激するのを防ぐことができるので、肩パッド１０の使用に際して使用者Ａの違和感を軽減することができる。
【図面の簡単な説明】
【００３１】
【図１】本考案に係る肩パッドを示す断面図である。
【図２】本考案に係る肩パッドの使用状態を示す図である。
【図３】本考案に係る肩パッドの第２実施例を示す断面図である。
【図４】本考案に係る肩パッドの第３実施例を示す断面図である。
【符号の説明】
【００３２】
１０…肩パッド
１２…パッド本体
１４…粘着層
２０…保形材
２２…外面材
２４…内面材
３０…輪郭形成凸面
３２…凹湾曲面
４０…連通孔
５０…テープ
【図１】
0003144293.tif 000003
【図２】
0003144293.tif 000004
【図３】
0003144293.tif 000005
【図４】
0003144293.tif 000006